【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
複数のフレーム画像を用いて３以上の露出量の異なる同一シーンの動画像を生成する画像生成装置において、
基準フレーム画像に対する複数のフレーム画像のそれぞれの変化量を算出する算出手段と、
前記算出された各変化量に基づいて、前記複数のフレーム画像の各々が前記基準フレーム画像と同一の画像（以下、修正画像）となるように修正する修正手段と、
少なくとも、前記基準フレーム画像と前記修正画像の中のひとつの画像である第１の修正画像とを合成した第１合成画像、およびその第１合成画像と前記第１の修正画像とは異なる第２の修正画像とを合成した第２合成画像を生成する合成手段と、
前記基準フレーム画像、前記第１および第２合成画像のそれぞれを、同一シーンで明るさが異なる複数枚のブラケット動画像の中の一画像として記憶する記憶手段とを備え、
前記基準フレーム画像は、時間的に連続する複数の前記フレーム画像のうち、前記ブラケット動画像の生成に供するフレーム画像の入力指示の後、最初に前記算出手段に入力されたフレーム画像であることを特徴とする画像生成装置。
【請求項２】
請求項１に記載の画像生成装置において、
前記基準フレーム画像は、時間的に連続する複数の前記フレーム画像のいずれか一つであることを特徴とする画像生成装置。
【請求項３】
請求項１に記載の画像生成装置において、
前記算出手段は、時間的に連続する前記複数のフレーム画像を、順次、前記基準フレーム画像として、当該順次の基準フレーム画像と他のフレーム画像との間で前記変化量を算出し、
前記修正手段は、前記順次の基準フレームごとに、前記変化量に基づいた画像の修正を行い、
前記合成手段は、前記順次の基準フレームごとに、当該基準フレーム画像、前記第１および第２合成画像を組として、複数組からなる明るさの異なる動画像を生成することを特徴とする画像生成装置。
【請求項４】
請求項３に記載の画像生成装置において、
同一の前記組を構成する基準フレーム画像、第１合成画像および第２合成画像には、再生順序を示す同一の識別番号が付与されていることを特徴とする画像生成装置。
【請求項５】
請求項４に記載の画像生成装置において、
前記識別番号が付与された、前記基準フレーム画像、前記第１合成画像、または前記第２合成画像を出力する出力手段と、
前記出力手段より出力する画像を前記基準フレーム画像と前記第１合成画像と前記第２合成画像との間で切り換える切換手段と、
当該切換手段で前記出力手段より出力する画像を切り換える際に、前記識別番号が時間順に並ぶように、切り換え後の組のフレーム画像を前記識別番号に基づいて選択する選択手段とを備えることを特徴とする画像生成装置。
【請求項６】
請求項１に記載の画像生成装置において、
前記算出手段は、同一シーンで明るさが異なる複数枚の前記ブラケット動画像を生成する際に、前記第２合成画像の生成に際しての前記変化量の算出以降において、前記合成手段によって前記第１合成画像の生成以降に生成された合成画像を基準フレーム画像として、前記変化量を算出することを特徴とする画像生成装置。
【請求項７】
連続する複数のフレーム画像を用いて３以上の露出量の異なる同一シーンの画像をコンピュータにより生成するためのプログラムであって、
基準フレーム画像に対する複数のフレーム画像のそれぞれの変化量を算出する算出処理と、
前記算出された各変化量に基づいて、前記複数のフレーム画像の各々が前記基準フレーム画像と同一の画像（以下、修正画像）となるように修正する修正処理と、
少なくとも、前記基準フレーム画像と前記修正画像の中のひとつの画像である第１の修正画像とを合成した第１合成画像、およびその第１合成画像と前記第１の修正画像とは異なる第２の修正画像とを合成した第２合成画像を生成する合成処理と、
前記基準フレーム画像、前記第１および第２合成画像のそれぞれを、同一シーンで明るさが異なる複数枚のブラケット動画像の中の一画像として記憶する記憶処理とを備え、
前記基準フレーム画像は、時間的に連続する複数の前記フレーム画像のうち、前記ブラケット動画像の生成に供するフレーム画像の入力指示の後、最初に前記算出手段に入力されたフレーム画像とすることを特徴とする画像生成プログラム。
【請求項８】
請求項７に記載の画像生成プログラムにおいて、
前記算出処理は、時間的に連続する前記複数のフレーム画像を、順次、前記基準フレーム画像として、当該順次の基準フレーム画像と他のフレーム画像との間で前記変化量を算出し、
前記修正処理は、前記順次の基準フレームごとに、前記変化量に基づいた画像の修正を行い、
前記合成処理は、前記順次の基準フレームごとに、当該基準フレーム画像、前記第１合成画像、および前記第２合成画像を組として、複数組からなる明るさの異なる動画像を生成することを特徴とする画像生成プログラム。
【請求項９】
請求項８に記載の画像生成プログラムにおいて、
同一の前記組を構成する基準フレーム画像、第１合成画像および第２合成画像に、再生順序を示す識別番号を付与することを特徴とする画像生成プログラム。
【請求項１０】
請求項９に記載の画像生成プログラムにおいて、
前記識別番号が付与された前記基準フレーム画像、前記第１合成画像、または前記第２合成画像を出力する出力処理と、
前記出力処理により出力する画像を、前記基準フレーム画像と前記第１合成画像と前記第２合成画像との間で切り換える切換処理と、
当該切換処理で、前記出力処理によって出力する画像を切り換える際に前記識別番号が時間順に並ぶように、切り換え後の組のフレーム画像を前記識別番号に基づいて選択する選択処理とを備えることを特徴とする画像生成プログラム。
【手続補正２】
【補正対象書類名】明細書
【補正対象項目名】０００４
【補正方法】変更
【補正の内容】
【０００４】
請求項１に記載の発明は、複数のフレーム画像を用いて３以上の露出量の異なる同一シーンの動画像を生成する画像生成装置において、基準フレーム画像に対する複数のフレーム画像のそれぞれの変化量を算出する算出手段と、算出された各変化量に基づいて、複数のフレーム画像の各々が基準フレーム画像と同一の画像（以下、修正画像）となるように修正する修正手段と、少なくとも、基準フレーム画像と修正画像の中のひとつの画像である第１の修正画像とを合成した第１合成画像、およびその第１合成画像と第１の修正画像とは異なる第２の修正画像とを合成した第２合成画像を生成する合成手段と、基準フレーム画像、第１および第２合成画像のそれぞれを、同一シーンで明るさが異なる複数枚のブラケット動画像の中の一画像として記憶する記憶手段とを備え、基準フレーム画像は、時間的に連続する複数のフレーム画像のうち、ブラケット動画像の生成に供するフレーム画像の入力指示の後、最初に算出手段に入力されたフレーム画像であることを特徴とする。
請求項２に記載の発明は、請求項１に記載の画像生成装置において、基準フレーム画像は、時間的に連続する複数のフレーム画像のいずれか一つであることを特徴とする。
請求項３に記載の発明は、請求項１に記載の画像生成装置において、算出手段は、時間的に連続する複数のフレーム画像を、順次、基準フレーム画像として、順次の基準フレーム画像と他のフレーム画像との間で変化量を算出し、修正手段は、順次の基準フレームごとに、変化量に基づいた画像の修正を行い、合成手段は、順次の基準フレームごとに、基準フレーム画像、第１および第２合成画像を組として、複数組からなる明るさの異なる動画像を生成することを特徴とする。
請求項４に記載の発明は、請求項３に記載の画像生成装置において、同一の組を構成する基準フレーム画像、第１合成画像および第２合成画像には、再生順序を示す同一の識別番号が付与されていることを特徴とする。
請求項５に記載の発明は、請求項４に記載の画像生成装置において、識別番号が付与された、基準フレーム画像、第１合成画像、または第２合成画像を出力する出力手段と、出力手段より出力する画像を基準フレーム画像と第１合成画像と第２合成画像との間で切り換える切換手段と、切換手段で、出力手段より出力する画像を切り換える際に識別番号が時間順に並ぶように、切り換え後の組のフレーム画像を識別番号に基づいて選択する選択手段とを備えることを特徴とする。
請求項６に記載の発明は、請求項１に記載の画像生成装置において、算出手段は、同一シーンで明るさが異なる複数枚のブラケット動画像を生成する際に、第２合成画像の生成に際しての変化量の算出以降において、合成手段によって第１合成画像の生成以降に生成された合成画像を基準フレーム画像として、変化量を算出することを特徴とする。
請求項７〜１０に記載の発明は、それぞれ請求項１および請求項３〜５に記載の画像生成処理をコンピュータで実行するための画像生成プログラムである。